(57)【要約】【課題】  蒸気口を確実に形成できると共に、加熱後において包装袋を安全に開封することができる包装袋を提供する。【解決手段】  電子レンジ用の包装袋において、上辺側の一方の隅角部４における側部シール部２ｂの内縁に近い位置に、上辺シール部２ａから連続した一定範囲の部分熱溶着部５を形成し、部分熱溶着部５を横切る易開封用ミシン目１０を包装袋の表裏の左右方向全域に形成し、部分熱溶着部５内には、易開封用ミシン目１０に直交する方向のストッパ用の第１切込線６と、ストッパ用の第２切込線７を各々形成し、易開封用ミシン目１０が形成された左右の側部シール部の両外縁に各々左切欠部１１ｂ及び右切欠部１１ａを形成する。【選択図】  図１
0003208716.tif 000002
【実用新案登録請求の範囲】
【請求項１】
樹脂製フィルムの周囲をシールされた包装袋において、
上辺側の一方の隅角部における側部シール部の内縁に近い側部寄りの位置に、上辺シール部から連続した一定範囲の部分熱溶着部が形成され、
上記部分熱溶着部を横切る易開封用ミシン目が上記包装袋の表裏の左右方向全域に形成され、
上記部分熱溶着部内には、上記易開封用ミシン目に直交する方向のストッパ用の第１切込線と、該第１切込線の上方位置にストッパ用の第２切込線が各々設けられ、
上記易開封用ミシン目が形成された左右の側部シール部の両外縁には各々、左切欠部及び右切欠部が形成されたものである包装袋。
【請求項２】
上記易開封用ミシン目は、上下方向に複数本のミシン目が近接配置された多段構成のミシン目からなり、
当該易開封用ミシン目は、上記左切欠部又は上記右切欠部の何れの側からも開封が可能な構成を有するものである請求項１記載の包装袋。
【請求項３】
上記部分熱溶着部内において、上記第１切込線の下方位置にはストッパ用の第３切込線が形成されたものである請求項１又は２記載の包装袋。
【請求項４】
上記第１切込線は、上記易開封用ミシン目の上下方向幅と略同一又は上下方向幅より上下に若干突出する幅の直線状の切込線である請求項１〜３の何れかに記載の包装袋。
【請求項５】
上記第２切込線は、上部側に上記部分熱溶着部への接続部が残された円弧状の切込線である請求項１〜４の何れかに記載の包装袋。
【請求項６】
上記部分熱溶着部の近い方の側部シール部側の端縁と、上記側部シール部の内縁との距離は、当該包装袋の上辺側の開口部全体の左右長さの７％〜１５％の範囲の距離である請求項１〜５の何れかに記載の包装袋。
【請求項７】
上記包装袋は自立型の包装袋である請求項１〜６の何れかに記載の包装袋。
【考案の詳細な説明】
【技術分野】
【０００１】
本考案は、電子レンジで電磁加熱のできる包装袋であって、蒸気口が簡単に形成できると共に、安全、確実に開封することのできる包装袋に関するものである。
【背景技術】
【０００２】
従来、この種の包装袋としては、特許文献１に開示されたものが提案されている。
【０００３】
この包装袋は、包装袋の隅角部に舌状加熱溶着部を設けると共に、当該舌状加熱溶着部に開口用切込を設け、包装袋縁部のノッチから上記開口用切込までを切り裂くことにより蒸気口を形成し得るように構成されている。
【先行技術文献】
【特許文献】
【０００４】
【特許文献１】特開２０００−３３５６５４号公報
【考案の概要】
【考案が解決しようとする課題】
【０００５】
ところで、上記従来の包装袋は、ノッチから開口用切込までを開封する際に、ノッチ部分からの切断線が上辺側又は下辺側等に移動してしまい、開口用切込までを適切に切断できない場合が生じる可能性があった。
【０００６】
また、電磁加熱が終了した後に、中身を皿等に取り出す際に、包装袋の上辺側を横方向にカットする必要があるが、上記包装袋では、別途ハサミで袋上辺をカットする必要がある。
【０００７】
本考案は、上記従来の課題に鑑みてなされたものであり、蒸気口を確実に形成できると共に、加熱後において、包装袋を安全、確実に開封することができる包装袋を提供することを目的とする。
【課題を解決するための手段】
【０００８】
上記の目的を達成するため本考案は、
第１に、樹脂製フィルムの周囲をシールされた包装袋において、上辺側の一方の隅角部における側部シール部の内縁に近い側部寄りの位置に、上辺シール部から連続した一定範囲の部分熱溶着部が形成され、上記部分熱溶着部を横切る易開封用ミシン目が上記包装袋の表裏の左右方向全域に形成され、上記部分熱溶着部内には、上記易開封用ミシン目に直交する方向のストッパ用の第１切込線と、該第１切込線の上方位置にストッパ用の第２切込線が各々設けられ、上記易開封用ミシン目が形成された左右の側部シール部の両外縁には、左切欠部及び右切欠部が各々形成されたものである包装袋により構成される。
【０００９】
このように構成すると、部分熱溶着部側の上端片を把持して例えば右切欠部から部分熱溶着部に向けて開口すると、易開封用ミシン目に沿って直線的に切断線が形成され、第１切込線で一旦停止し、さらに上方に向けて開口すると、切断線は第２切込線に到達して開封動作が停止されるため、容易に、蒸気口を開封することができる。また、電磁加熱後は、部分熱溶着部とは反対側の例えば左切欠部から水平方向に、包装袋の上片を、易開封用ミシン目に沿って直線的に切断することで、上記上端片を含めて、上片の全体を切り離すことができ、内容物を容易に取り出すことができる。
【００１０】
第２に、上記易開封用ミシン目は、上下方向に複数本のミシン目が近接配置された多段構成のミシン目からなり、当該易開封用ミシン目は、上記左切欠部又は上記右切欠部の何れの側からも開封が可能な構成を有するものである上記第１記載の包装袋により構成される。
【００１１】
このように構成すると、例えば、包装袋の右隅に、蒸気用の開口を形成し、加熱後に、反対方向（包装袋の左側）から包装袋の上片の全体を切断することができ、蒸気口の開口と、内容物の取り出しを、何れも容易かつ安全に行うことができる。
【００１２】
第３に、上記部分熱溶着部内において、上記第１切込線の下方位置にはストッパ用の第３切込線が形成されたものである上記第１又は２記載の包装袋により構成される。
【００１３】
このように構成すると、切断線が上記第１切込線に到達した後、仮に、下方向に切断の力が加わっても、切断線は第３切込線に到達して開封動作が停止されるため、蒸気口が必要以上に大きく開口されることはない。
【００１４】
第４に、上記第１切込線は、上記易開封用ミシン目の上下方向幅と略同一又は上下方向幅より上下に若干突出する幅の直線状の切込線である上記第１〜３の何れかに記載の包装袋により構成される。
【００１５】
このように構成すると、易開封用ミシン目に沿う切断線を確実に第１切込線に誘導することができる。
【００１６】
第５に、上記第２切込線は、上部側に上記部分熱溶着部への接続部が残された円弧状の切込線である上記第１〜４の何れかに記載の包装袋により構成される。
【００１７】
このように構成すると、第２切込線の円弧の中央部が包装袋から切り離されないので、製造時に不要な切取り片の発生を防止することができる。
【００１８】
第６に、上記部分熱溶着部の近い方の側部シール部側の端縁と、上記側部シール部の内縁との距離は、当該包装袋の上辺側の開口部全体の左右長さの７％〜１５％の範囲の距離である上記第１〜５の何れかに記載の包装袋により構成される。
【００１９】
上記部分熱溶着部の近い方の側部シール部側の端縁は、部分熱溶着部（５）の端縁（５’）とすることができる。上記側部シール部の内縁は内縁（２ｂ’）とすることができる。このように構成すると、加熱時に蒸気を放出し得ると共に、内容物の漏出を防止し得る蒸気口を形成することができる。
【００２０】
第７に、上記包装袋は自立型の包装袋である上記第１〜６の何れかに記載の包装袋により構成される。
【００２１】
このように構成すると、電子レンジ内で加熱時に自立させることができるため、電子レンジでの加熱用として最適な包装袋を実現することができる。
【考案の効果】
【００２２】
本考案によれば、包装袋の上辺の一方側から易開封用ミシン目に沿って開封することで、容易に蒸気口を開封することができるし、加熱後は、包装袋の他方側から易開封用ミシン目に沿って包装袋の上片を開封することで、包装袋の上片側を切り離して、内容物を容易に取り出すことができ、蒸気口の開口と、内容物の取り出しを、火傷のおそれもなく、安全・容易に行うことができる。
【００２３】
また、蒸気口の切断線は第１切込線に到達した後、第２切込線又は第３切込線に到達して開封動作が停止されるため、蒸気口が必要以上に大きく開口されることはない。
【００２４】
また、易開封用ミシン目に沿う切断線を確実に第１切込線に誘導することができ、蒸気口を形成する上で失敗することがない。
【００２５】
また、第２切込線の円弧の中央部が包装袋から切り離されないので、製造時に不要な切取り片の発生を防止することができる。また、切取り片が異物として包装袋中に混入するおそれもない。
【００２６】
また、加熱時に蒸気を放出し得ると共に、蒸気口からの内容物の漏出を防止し得る包装袋を実現することができる。
【００２７】
また、電子レンジで加熱時に自立させることができるため、電子レンジでの加熱時に最適な包装袋を実現することができる。
【図面の簡単な説明】
【００２８】
【図１】本考案に係る包装袋の表面側の正面図である。
【図２】同上包装袋の裏面側の背面図である。
【図３】同上包装袋の部分熱溶着部近傍の拡大正面図である。
【図４】同上包装袋の加熱時の斜視図である。
【図５】同上包装袋の加熱後の斜視図である。
【考案を実施するための形態】
【００２９】
以下、添付図面に基づいて本考案に係る電子レンジ用の包装袋について詳細に説明する。
【００３０】
図１に本考案に係る包装袋１の表面１ａ、図２に裏面１ｂを示す。この包装袋１は、電子レンジで電磁加熱し得るものであり、耐熱性のある表裏の樹脂フィルムからなり、表面１ａと裏面１ｂの上辺シール部２ａ、右辺シール部（側部シール部）２ｂ、左辺シール部（側部シール部）２ｃ、下辺シール部２ｄをシール（熱溶着）することで、四辺をシールした包装袋１が形成されている。尚、図１における左右方向、上下方向を、「左右」、「上下」と定義して以下説明する（裏面側を示す図２においては、図１に対して左右が逆になる）。
【００３１】
また、図１、図２に示す包装袋１は、自立袋であり、下辺シール部２ｄは、図４に示すように、二股に分かれた下端脚部３ａ，３ｂと、下端脚部３ａ，３ｂを連結するマチ部３ｃとからなり、当該包装袋１に内容物４を収納した状態で、上記マチ部３ｃが水平方向に広がることで、上記下端脚部３ａ，３ｂにより自立し得るように構成されている。勿論、自立袋に限定されるものではなく、下辺シール部２ｄを上辺シール部２ａと同様にシールした非自立型の四方シール袋でも良い。
【００３２】
このような包装袋１において、上辺側の右側（一方）の隅角部４における右辺シール部２ｂ（側部シール部）の内縁２ｂ’に近い側部寄りの位置に、上辺シール部２ａから連続した下方向きの一定範囲の部分熱溶着部５が形成されている。この部分熱溶着部５は、上記上辺シール部２ａ等と同様に、樹脂フィルムの表面１ａと裏面１ｂの内面の対向面全体を熱溶着により接着することにより形成されたもので、縦長長方形状に形成されている。
【００３３】
そして、この部分熱溶着部５には、その中央部にストッパ用の縦方向の直線状の切込線（第１切込線）６が形成されている（図３参照）。この切込線６は、樹脂フィルムの表面１ａから裏面１ｂを貫通する切込であり、後述のミシン目１０に沿って矢印Ａ方向に上端片９を右切欠部１１ａから開封する際、この切込線６の位置で切断線を一旦停止させる機能を有するものである。この切込線６は、後述の易開封用ミシン目１０の上下方向幅ｔ１（図３参照）と略同一又は上下方向幅ｔ１より上下に若干突出する幅の垂直な直線状の切込線として形成されている。
【００３４】
また、この部分熱溶着部５の上記切込線６の上方位置には円弧状の切込線（第２切込線）７が形成されている。この切込線７は、樹脂フィルムの表面１ａから裏面１ｂを貫通する切込から構成された円弧部７ａと、切込が形成されていない部分としての接続部７ｂとから構成されており、上記円弧部７ａが上記切込線６の方向（下向き）に位置しており、上記切込線６とは反対側（上部）に上記接続部７ｂが形成されている。
【００３５】
また、この部分熱溶着部５の上記切込線６の下方位置には円弧状の切込線（第３切込線）８が形成されている。この切込線８は、樹脂フィルムの表面１ａから裏面１ｂを貫通する切込から構成された円弧部８ａと、切込が形成されていない部分としての接続部８ｂとから構成されており、上記円弧部８ａが上記切込線６の方向（上向き）に位置しており、上記切込線６とは反対側（下部）に上記接続部８ｂが形成されている。
【００３６】
上記円弧状の切込線７，８は、切断線が上記切込線６にて一旦ストップした後、上記上端片９を上辺側（図４参照）又は下辺側に移動させたとき、切断線が上記切込線６の上端６ａ又は下端６ｂ（図３参照）から上記円弧部７ａ又は円弧部８ａに至り、これにより上方又は下方への上記切断線のさらなる切断をストップさせると共に、上記上端片９が包装袋１から切り離されるのを防止するために設けられたものである。
【００３７】
上記部分熱溶着部５の右側縁（側縁）５’と、上記部分熱溶着部５に近い側の上記右辺シール部（側部シール部）２ｂの内縁２ｂ’との距離ｔ２は（図１参照）、当該包装袋１の上辺側の開口部全体の左右長さｔ３の７％〜１５％の範囲の距離とすることが好ましい。例えば、開口部の距離ｔ３＝１２８ｍｍである場合は、ｔ２＝８．９６ｍｍ〜１９．２ｍｍ、好ましくは、ｔ２＝１５ｍｍ（１１．７％）程度が好ましい。即ち、上記部分熱溶着部５の近い側の側部シール部側の端縁５’と、上記側部シール部２ｂの内縁２ｂ’との距離ｔ２は、当該包装袋１の上辺側の開口部全体の左右長さｔ３の７％〜１５％の範囲の距離とする。
【００３８】
上記部分熱溶着部５の右側縁５’と上記右辺シール部２ｂの内縁２ｂ’との距離ｔ２を上記の距離の範囲としたのは、開口部全体の距離と比較して、短い上記距離ｔ２の範囲とすることにより、電子レンジにて電磁加熱して蒸気が蒸気口１１（図４参照）から噴出する際、包装袋１内部が膨張したときに、上記部分熱溶着部５の下端５ａから下側の包装袋が膨張することにより、表面１ａのａ部（表面１ａ側の蒸気口１１の下方部分）と裏面１ｂのａ’部（裏面１ｂ側の蒸気口１１の下方部分）が、表裏方向に膨れることにより、逆に、蒸気口１１と右側シール部２ｂと部分熱溶着部５の右側縁５’にて囲まれた部分（蒸気放出通路）１１’の表面１ａと裏面１ｂの樹脂フィルムが近接し、内容物が蒸気口１１からこぼれるのを防止し得るからである。
【００３９】
尚、上記の効果は、電磁加熱前においても、内容物による樹脂フィルムの表裏１ａ，１ｂの膨れ（膨張）による応力が、上記部分熱溶着部５の下端５ａに集中するため、上記下端５ａ近傍から右辺シール部２ｂの内縁２ｂ’までの樹脂フィルムの表裏１ａ，１ｂの短い間隔において、上記フィルムの表裏１ａ，１ｂが近接状態となり、その結果、内容物が上記蒸気放出通路１１’内に進入し難い構造となっている。よって、上記蒸気口１１を開封したとき、電磁加熱前においても、内容物が上記蒸気口１１から外部に漏出し難いという効果を有する。このことは、電磁加熱終了後に、電子レンジから包装袋１を取り出す際においても、上記蒸気口１１から内容物がこぼれ難いので（包装袋１内部が熱により膨張しているので加熱前に比べて、よりこぼれ難い状態となっている）、使用者が火傷をすることなく、安全に包装袋１を電子レンジから取り出すことができるという効果がある。
【００４０】
上記部分熱溶着部５には、それを直角に横切る水平方向の直線状の易開封用ミシン目１０が左右辺シール部２ｂ，２ｃの部分を含めて、上記包装袋１の左右方向全域に形成されている。この易開封用ミシン目１０は、図３に示すように、その一列は、片仮名の「ハ」の字を横にして、それを同一方向に直線状に多数並べた状態の水平なミシン目１０ａから構成されており、このミシン目１０ａを３列、上下方向に、近接して配置された３列（多段構成）のミシン目１０から構成されている。
【００４１】
このミシン目１０の「ハ」の字部分は、本件包装袋１を構成する樹脂フィルムに対して、厚み方向に、樹脂フィルムを貫通しない深さの切れ込みを入れたものである。また、「ハ」の字の向きは、表面１ａは、右辺シール部２ｂから左辺シール部２ｃの方向（矢印Ａ方向）に、「ハ」の字の狭間隔の側が向く方向であり、裏面１ｂにおいても（図２参照）、右辺シール部２ｂから左辺シール部２ｃの方向（矢印Ａ方向）に、「ハ」の字の狭間隔の側が向く方向となっている。このように、この易開封用ミシン目１０は、図１、図２に示すように、樹脂フィルムの表面１ａの表面側と、樹脂フィルムの裏面１ｂの表面側に、各々同一位置、同一方向に形成されている。
【００４２】
この「ハ」の字のミシン目１０は、矢印Ａ方向（「ハ」の字の広い間隔から狭い間隔に向かう方向）であっても、矢印Ｂ方向（「ハ」の字の狭い間隔から広い間隔に向かう方向）であっても、隣接する「ハ」の字に沿って順次切断されていくので、何れも「ハ」の字ミシン目に沿って直線状に円滑に切断が可能なものである。即ち、上記易開封用ミシン目１０は、上下方向に複数本（実施形態では３本）の直線状のミシン目１０ａが近接配置された多段構成のミシン目１０からなり、当該易開封用ミシン目１０は、左切欠部１１ｂ又は右切欠部１１ａの何れの側からも開封が可能な構成を有するものである。尚、ミシン目の単一の形状は「ハ」の字に限らず、左右両方から切断可能な構造のミシン目であればその他の形状のミシン目（例えば「Ｙ」の字を横にしたもの、「−」（マイナス）記号等）であっても良い。
【００４３】
上記３段のミシン目１０の中央部のミシン目１０ａの左右端部に対応する、左辺シール部２ｃ及び右辺シール部２ｂの外縁２ｃ”、２ｂ”には、所謂ノッチとしての、各々左切欠部１１ｂ、右切欠部１１ａが形成されている。
【００４４】
これら切欠部１１ａ，１１ｂは切断の始端（きっかけ）を形成するものであり、右側の上端片９又は左側の上端片１２を把持して、矢印Ａ方向又は矢印Ｂ方向に切断する際、上記切欠部１１ａ，１１ｂから切断が開始されるものである。
【００４５】
本考案は上述のように構成されるものであるから、以下、本考案の作用を説明する。尚、上記包装袋１内には電磁加熱用の食品（例えばカレー或いはシチュー等）が収納されているものとする。
【００４６】
まず、使用者は、電磁加熱前に当該包装袋１の蒸気口１１を形成する。使用者は、当該包装袋１を手に取って、右手で右側の上端片９を把持し、矢印Ａ方向に開口する（図４参照）。
【００４７】
すると、包装袋１の上記上端片９は、右切欠部（切欠部）１１ａから矢印Ａ方向に、易開封用ミシン目１０に沿って直線状に切断されて行き、この切断線は、部分熱溶着部５を経て切込線６に至って一旦、停止する。このとき、上記切欠部１１ａから上記切込線６までの間に、右シール部２ｂの表裏、樹脂フィルムの表面１ａ及び裏面１ｂ、及び、部分熱溶着部５の表裏に、直線状の易開封用ミシン目１０が存在するため、切断線は、右切欠部１１ａから上記ミシン目１０に沿って直線的に切込線６まで到達し、切断線がずれることはない。
【００４８】
使用者は、通常は、このまま上端片９を上辺側に移動させようとするため、切断線は、上記切込線６の上端６ａから、さらに、部分熱溶着部５を切断していくが、直ちに、切込線（第２切込線）７の円弧部７ａに達する。
【００４９】
すると、切込線７の円弧部７ａ全体が接続部７ｂを残して部分熱溶着部５表面から離間するため、切断にかかる抵抗感が一気に低下し、このため使用者は、この時点で切断動作を中止する（図４の状態）。これにより、切断線に沿って距離ｔ２の蒸気口１１を形成することができる。
【００５０】
尚、仮に、使用者が、上記右切欠部１１ａの下側を把持して切込線６まで切断し、そこから把持部を下側に移動させた場合であっても、同様にミシン目１０に沿って、矢印Ａ方向に直線状に切断されて切込線６に到達し、さらに、上記切込線６の下端６ｂから部分熱溶着部を切断し、直ちに、切断線は、下方の切込線（第３切込線）８の円弧部８ａに到達するため、同様に、この時点で切断に係る抵抗感が低下する。よって、使用者はこの時点で切断動作を中止するため、同様に、上記蒸気口１１を適切に開口することができる。
【００５１】
また、上記蒸気口１１を開口しても、上述のように、上端片９は、完全には切り離されず、図４に示すように、上記接続部７ｂ及び上辺シール部２ａにて包装袋１に接続されたままであるため、不要なゴミが出ることを防止することができる。このとき、内容物による樹脂フィルムの表裏１ａ，１ｂの膨れ（膨張）による応力が、上記部分熱溶着部５の下端５ａに集中するため、上記下端５ａ近傍から右辺シール部２ｂの内縁２ｂ’までの樹脂フィルムの表裏１ａ，１ｂの間隔において、表裏１ａ，１ｂが近接状態となり、内容物が上記蒸気口１１からこぼれにくいので、使用者は容易に包装袋１を取り扱うことができる。
【００５２】
その後、使用者は、当該包装袋１を電子レンジ内に自立状態で立てて収納し、電磁加熱を行う。電磁加熱の最中は、包装袋１の内容物が加熱され、包装袋１が表裏方向に膨張し、蒸気を上記蒸気口１１から包装袋１外部に放出することができる。
【００５３】
また、内部が加熱され、包装袋１が膨張すると、上記部分熱溶着部５の下端５ａから下側が膨張することにより、表面１ａのａ部（表面１ａ側の蒸気口１１の下方部分）と裏面１ｂのａ’部（裏面１ｂ側の蒸気口１１の下方部分）が、表裏方向に膨れることにより、逆に、蒸気放出通路１１’の表面１ａと裏面１ｂの樹脂フィルムが近接することになる。
【００５４】
この状態においては、蒸気は上記蒸気口１１から放出されるが、上記蒸気放出通路１１’は近接状態なので、内容物（液体、固体等）が上記蒸気放出通路１１’から上記蒸気口１１を経て外部に漏れることはない。よって、仮に、包装袋１が倒れても、内容物が上記蒸気口１１からこぼれ出ることを極力防止することができる。
【００５５】
加熱が終了した場合は、電子レンジから当該包装袋１を取り出す。この電子レンジから包装袋１を取り出す際においても、上記蒸気口１１から内容物がこぼれ難いので、使用者が火傷をすることなく、安全に包装袋１を電子レンジから取り出すことができる。そして、使用者は、包装袋１の左側の上端片１２を把持して、上記蒸気口１１とは反対側の左切欠部（切欠部）１１ｂから矢印Ｂ方向に切断すれば良い（図５参照）。すると、易開封用ミシン目１０に沿って矢印Ｂ方向に直線的に切断線が形成されて行き、上記部分熱溶着部５に左側から到達し、上記切込線６に到達したところで、右側の上記切断線と合流し、これにより、図５に示すように、易開封用ミシン目１０より上片１４の全体を包装袋１から切り離すことができる。
【００５６】
これにより、包装袋１の上部に、当該包装袋１の左右方向の広い主開口部１３が形成されるため、主開口部１３から内容物を容器等に容易かつ安全に取り出すことができる。
【００５７】
本考案によれば、包装袋１の上辺の一方側（例えば右側）から易開封用ミシン目１０に沿って一部開封することで、容易に蒸気口１１を開封することができるし、加熱後は、包装袋１の他方側（例えば左側）から易開封用ミシン目１０に沿って全体を開封することで、包装袋１の上片１４の全体を切り離して内容物を容易に取り出すことができ、蒸気口１１の開口と、内容物の取り出しを、火傷のおそれもなく、容易かつ安全に行うことができる。
【００５８】
また、切断線が第１切込線６に到達した後、仮に、下側に切断の力が加わっても、切断線は第３切込線８により停止するため、蒸気口１１が必要以上に大きく開口されることはない。
【００５９】
また、易開封用ミシン目１０により切断線を確実に第１切込線６に誘導することができ、蒸気口１１を形成する上で失敗することがない。
【００６０】
また、第２切込線７の円弧の中央部が包装袋から切り離されないので、製造時に不要な切取り片の発生を防止することができる。
【００６１】
また、加熱時に蒸気を放出し得ると共に、蒸気口１１からの内容物の漏出をも防止し得る包装袋を実現することができる。
【００６２】
また、電子レンジで加熱時に自立させることができるため、電子レンジでの加熱時に最適な包装袋を実現することができる。
【００６３】
尚、上記包装袋を構成する樹脂フィルムは、例えば、内層に熱融着性を有するポリエチレン（ＰＥ）や未延伸ポリプロピレン（ＣＰＰ）等が配置され、外層にはポリエチレンテレフタレート（ＰＥＴ）、ナイロン（ＮＹ）、二軸延伸ポリプロピレン（ＯＰＰ）等が用いられる多層構造のフィルムであり、外層には、さらに、塩化ビニリデンコーティング、又はシリカや酸化アルミナ蒸着が施され、酸素バリア性或いは防湿性を持たせることができる。
【産業上の利用可能性】
【００６４】
本考案に係る包装袋によれば、容易かつ確実に蒸気口を形成することができ、加熱後は、火傷をすることなく、包装袋上片を確実かつ円滑に開封して内容物を取り出すことができるので、電子レンジの加熱用に好適であり、産業上の利用価値の高いものである。
【符号の説明】
【００６５】
１          包装袋
１ａ        表面
１ｂ        裏面
２ａ        上辺シール部
２ｂ        右辺シール部（側部シール部）
２ｂ’      内縁
２ｃ        左辺シール部（側部シール部）
４          隅角部
５          部分熱溶着部
５’        内縁
６          切込線（第１切込線）
７          切込線（第２切込線）
７ａ        円弧部
７ｂ        接続部
８          切込線（第３切込線）
１０        易開封用ミシン目
１０ａ      ミシン目
１１ａ      右切欠部
１１ｂ      左切欠部
１３        開口部
ｔ１        上下方向幅
ｔ２        距離
ｔ３        長さ
【図１】
0003208716.tif 000003
【図２】
0003208716.tif 000004
【図３】
0003208716.tif 000005
【図４】
0003208716.tif 000006
【図５】
0003208716.tif 000007